(57)【要約】【課題】  使用者がタッチキーを押し間違えてキー操作を確定できない可能性を低減した加熱調理器を提供する。【解決手段】  被加熱物が載置されるプレートと、複数のタッチキーを有する操作部と、タッチキーで入力された設定内容に基づいて加熱調理器を制御する制御部と、所定の内容を報知する報知部と、を備えた加熱調理器において、報知部は、設定内容がタッチキーで入力されるとタッチキーに対応した名称または機能を報知する第１の報知と、第１の報知後も継続してタッチキーで入力されるとタッチキーの設定について報知する第２の報知と、を行うものである。【選択図】図４
2020202013.tif 000002
【特許請求の範囲】
【請求項１】
被加熱物が載置されるプレートと、
複数のタッチキーを有する操作部と、
前記タッチキーで入力された設定内容に基づいて加熱調理器を制御する制御部と、
所定の内容を報知する報知部と、を備えた加熱調理器において、
前記報知部は、前記設定内容が前記タッチキーで入力されると前記タッチキーに対応した名称または機能を報知する第１の報知と、前記第１の報知後も継続して前記タッチキーで入力されると前記タッチキーの設定について報知する第２の報知と、を行う加熱調理器。
【請求項２】
請求項１に記載の加熱調理器において、
前記第２の報知は、前記タッチキーによる設定が確定したことの報知である、加熱調理器。
【請求項３】
請求項１または２に記載の加熱調理器において、
前記操作部は、第１のタッチキーと第２のタッチキーとを有し、
前記報知部は、前記設定内容が前記第１のタッチキーで入力されると前記第１のタッチキーに対応した名称または機能を報知する第１の報知を行い、前記設定内容が前記第２のタッチキーで入力されると前記第２のタッチキーに対応した名称または機能を報知せずに前記第２のタッチキーの設定について報知する第２の報知を行い、
前記第２のタッチキーは前記第１のタッチキーに挟まれない場所に配置されている、加熱調理器。
【請求項４】
加熱調理器の操作部が有するタッチキーに設定内容が入力されると、前記タッチキーに対応した名称または機能を報知するステップと、
前記報知後も継続して前記タッチキーで入力されると、前記タッチキーの設定について報知するステップと、を含む加熱調理器の報知方法。
【発明の詳細な説明】
【技術分野】
【０００１】
本発明は、加熱調理器およびその報知方法に関するものである。
【背景技術】
【０００２】
加熱調理器は、結晶化ガラスや非結晶化ガラスで構成されるトッププレート下に同心円状の誘導加熱コイル（以下「加熱コイル」と略称）を設置し、これに高周波電流を流し、発生する磁界でトッププレート上に載置された調理容器の鍋底にうず電流を誘起し、このジュール熱で調理容器を直接加熱するものである。そして、加熱調理器のトッププレートには操作ボタンまたは操作キーが設けられており、使用者が操作ボタンを押す、または操作キーに触れることで、加熱調理器を操作することができる。
【０００３】
特許文献１には、使用者がタッチキーの上部もしくは近傍に設けられている点字を読み取るときに、意図せず使用者の指がタッチキーに触れてしまうことでスイッチが反応してしまい、意図しない操作が入力されるのを防止するために、使用者がタッチキーに一度触れた時は、キー操作を確定しないで単発の短いブザー音で報知する誘導加熱調理器が記載されている。そして、使用者がタッチキーに一度触れた後に、使用者がタッチキーから指を離し、再度、同一キーをタッチすることで操作が確定し、その時には単発の長いブザー音で報知するものである。これらの構成により、一度目のタッチでは、点字を読み取り、かつ、キーの場所を認識することができ、さらに、二度目のタッチでキー操作を確定することができるので、誘導加熱調理器を安全かつ快適に使用できるものである。
【先行技術文献】
【特許文献】
【０００４】
【特許文献１】特開２０１５−１０６４６１号公報
【発明の概要】
【発明が解決しようとする課題】
【０００５】
加熱調理器の操作部に設けられたタッチキーの一つ一つの面積は、大人の指先より略一回り大きい程度である。そのため、タッチキーを指先で一度押し、指先をタッチキーから離して再度タッチキーを押すときに、指先が左右前後に動いてしまうことで、再度タッチしたかったタッチキーに隣接するタッチキーを押す可能性が考えられる。よって、特許文献１のキー操作確定方法では、キー操作を確定することが難しい可能性が有った。
【０００６】
本発明は、上記の問題を解決するためになされたものであり、使用者がタッチキーを押し間違えてキー操作を確定できない可能性を低減した加熱調理器を提供することを目的とする。
【課題を解決するための手段】
【０００７】
第１の発明は、被加熱物が載置されるプレートと、複数のタッチキーを有する操作部と、タッチキーで入力された設定内容に基づいて加熱調理器を制御する制御部と、所定の内容を報知する報知部と、を備えた加熱調理器において、報知部は、設定内容がタッチキーで入力されるとタッチキーに対応した名称または機能を報知する第１の報知と、第１の報知後も継続してタッチキーで入力されるとタッチキーの設定について報知する第２の報知と、を行うものである。第２の発明は、加熱調理器の操作部が有するタッチキーに設定内容が入力されると、タッチキーに対応した名称または機能を報知するステップと、報知後も継続してタッチキーで入力されると、タッチキーの設定について報知するものである。
【発明の効果】
【０００８】
本発明によれば、使用者がタッチキーを押し間違えてキー操作を確定できない可能性を低減した加熱調理器を提供することができる。
【図面の簡単な説明】
【０００９】
【図１】本発明の一実施例を示す加熱調理器本体をシステムキッチンに組み込んだ状態の斜視図である。
【図２】本発明の一実施例を示す加熱調理器本体の要部縦断面図である。
【図３】本発明の一実施例を示す加熱調理機の操作部と表示部の平面図である。
【図４】本発明の一実施例を示す加熱調理機のキーの入力処理を説明するフローチャートである。
【発明を実施するための形態】
【００１０】
以下、図面等を用いて、本発明の実施例について説明する。以下の説明は本発明の内容の具体例を示すものであり、本発明がこれらの説明に限定されるものではない。本明細書に開示される技術的思想の範囲内において当業者による様々な変更および修正が可能であり、下記の実施例の構成を適宜組み合わせることも当初から予定している。また、本発明を説明するための全図において、同一の機能を有するものは、同一の符号を付け、その繰り返しの説明は省略する場合がある。
【００１１】
図１は、本発明の一実施例を示す加熱調理器本体をシステムキッチンに組み込んだ状態の斜視図である。
【００１２】
図１において、加熱調理器の本体１はシステムキッチン２に組み込まれており、本体１の上面には耐熱性が高いガラスで構成されたトッププレート３が配設されている。トッププレート３の周りにはプレート枠４が固着されている。
【００１３】
トッププレート３とプレート枠４の間には、シール材（図示せず）が充填され水密構造となっている。また、プレート枠４は本体１にも固定されており、本体１をシステムキッチン２に取り付ける際は、プレート枠４で本体１を吊り上げて設置される。従ってシステムキッチン２の上表面に出るのはトッププレート３とプレート枠４の部分である。
【００１４】
トッププレート３の下方には、トッププレート３上に載置した調理器具の鍋等の被加熱物５を加熱する加熱コイル６ａ、６ｂが手前側左右に設けられ、中央奥側にはラジエントヒータ６ｃが設けられている。本実施例では、加熱コイル６ａ、６ｂおよびラジエントヒータ６ｃをまとめて、加熱源６として説明をする。なお、中央奥側にはラジエントヒータの代わりに加熱コイルを設け、３口加熱コイルの加熱調理器でも良い。また、本体１の左側下部には、魚焼きなどを行うグリル部７が設けられている。
【００１５】
本体１の右下部には、電源切／入スイッチ１８が設けられている。電源切／入スイッチ１８を押して電源を入れると、加熱調理器が使用可能になる。
【００１６】
トッププレート３の後方左側には排気口１０が設けられており、グリル部７から排出される排気および本体１内部の加熱コイル６ａ、６ｂや加熱コイル６ａ、６ｂの通電を制御する制御部１１などを冷却した廃熱（熱気）を排出している。また、トッププレート３の後方右側には本体１内部の制御部１１や加熱コイル６ａ、６ｂ等を冷却する空気を吸気する吸気口１２が設けられている。
【００１７】
トッププレート３の手前側には、加熱コイル６ａ、６ｂとラジエントヒータ６ｃの夫々に対応する操作部１３（１３ａ、１３ｂ、１３ｃ）と、夫々の操作部１３ａ、１３ｂ、１３ｃに対応する表示部１４（１４ａ、１４ｂ、１４ｃ）が設けられている。
【００１８】
表示部１４は、操作部１３により入力される本体１を運転するための設定状態（火力、タイマーの設定状態、揚げ物調理時の油温等）や運転状態を、数値、文字および図形表示等によりトッププレート３の上面側から使用者が視認することができるように、バックライト付きの液晶表示器８で構成されている。操作部１３は、対応する加熱コイル６ａ、６ｂやラジエントヒータ６ｃへの加熱条件や、加熱の入り切り等を入力する、複数のタッチキー１５で構成されている。
【００１９】
図２は、加熱調理器本体の要部縦断面図である。図２に示すように、タッチキー１５は、トッププレート３下方の基板１６上に形成された矩形状の電極１７で構成されている。電極１７に対向したトッププレート３の上面部を使用者が指でタッチすることによって生じる静電容量の変化を、電極１７を介してＩＣ回路（図示せず）で検知することで、制御部１１に操作情報を入力している。
【００２０】
タッチキー１５の位置を使用者が判り易くするために、タッチキー１５の電極１７に対向したトッププレート３の上面部には、指でタッチする部分にキーの意匠が印刷されている。
【００２１】
このように、操作部１３をタッチキー１５で構成することにより、トッププレート３には操作部１３による凸凹を減らすことができる。これにより、耐久性や掃除がし易いトッププレート３を備えた加熱調理器を提供できる。
【００２２】
制御部１１は、操作部１３から入力されたタッチキー１５の操作情報により、表示部１４の表示内容を制御している。また、加熱部６である加熱コイル６ａ、６ｂやラジエントヒータ６ｃへの通電を制御している。
【００２３】
音報知手段２０は、ブザー音、音声の少なくとも一方を報知可能であり、制御手段１１によって制御される。なお、音報知手段２０と制御手段１１は一体として構成されていてもよい。
【００２４】
また、本体１の前面右側には押しボタンスイッチで構成された本体１の電源を入り切りする電源切／入スイッチ１８が設けられており、電源切／入スイッチ１８を一回押すと電源が入り、もう一回押すと電源が切れるようになっている。
【００２５】
図３は、操作部１３および表示部１４の平面図である。被加熱物５への加熱条件を設定する操作部１３ａについて、図３を用いて説明する。操作部１３ａには、オート調理を行う為のメニューキー９ａ、加熱コイル６ａの通電／停止させる為の切／スタートキー９ｂ、加熱コイル６ａの出力を調節するためのとろ火キー９ｃ、弱火キー９ｄ、中火キー９ｅ、強火キー９ｆ、加熱コイル６ａの出力を微調節するダウンキー９ｇ、アップキー９ｈ、調理時間を設定する為のタイマーキー９ｉ、タイマー時間を設定するダウンキー９ｇ（出力を微調節するダウンキー９ｇと兼用）、アップキー９ｈ（出力を微調節するアップキー９ｈと兼用）と、が横一列にそれ程隙間を開けずに配置されている。本実施例においては、操作部１３ａはすべてタッチキー１５である。なお、操作部１３ｂも操作部１３ａの構成と同様であるが、操作部１３ｃは他の操作部１３ａ、１３ｂに比べて設定機能に差が有るためタッチキー１５の数が少ない構成となっている。また、切／スタートキー９ｂは、加熱を停止する機能と、加熱をスタートする機能とを併せ持つタッチキー１５である。しかし、これらの機能を分けて、加熱を停止する専用キーの切キーとしても良い。
【００２６】
本実施例は以上の構成よりなるもので、次にその動作について説明する。
【００２７】
最初に電源切／入スイッチ１８を押して電源を入れると、操作部１３が操作可能になる。電源を入れた後、操作可能であるキーは、メニューキー９ａ、切／スタートキー９ｂ、とろ火キー９ｃ、弱火キー９ｄ、中火キー９ｅ、強火キー９ｆなどである。
【００２８】
使用者の操作方法について説明する。使用者がタッチキーに触れる（入力する）と、使用者が触れたタッチキーの名称や機能などを音報知手段２０によって報知する。これが１度目の報知である第１報知である。その後、継続して同一タッチキーを触れ続ける（入力し続ける）ことで、触れているタッチキーの設定を確定し、確定した内容または確定したことを音報知手段２０で報知する。これが、２度目の報知である確定報知である。これにより、使用者がタッチキーを押し間違えてキー操作を確定できない可能性を低減することができる。
【００２９】
また、使用者は、自身がタッチキーに触れることによりキーの名称・設定する機能を知ることができる。そして、タッチキーに触れ続けることで、触れているタッチキーの設定が確定したことを知ることができる。仮に、第１報知した後にタッチキーから指を離した場合は、設定は確定されない。そのため、使用者は安心してタッチキーに触れながら希望するタッチキーを探すことが可能となる。なお、音報知手段２０は、第１報知では音声にて報知し、確定報知では音声での報知をしても良いし、音声での報知に代えてブザー音による報知をしても良い。または、第２報知は音報知手段２０以外の報知手段で報知しても良く、例えば音ではなく振動で報知してもよい。
【００３０】
次に、タッチキー１５の一例として中火キー９ｅを使用者が操作した場合について説明する。本実施例では中火キー９ｅを用いて説明するが、例えばメニューキー９ａといった他のタッチキー１５でも同様の制御を行う。
【００３１】
使用者が中火キー９ｅにタッチすると、制御部１１は使用者が触れたタッチキーの名称である「中火」を、音報知手段２０によって第１報知する。その後、継続して中火キー９ｅのタッチを継続（例えば２秒間）続けると、中火キー９ｅの操作が確定して火力を中火に設定し、確定報知としてブザー音または音声で「火力を中火に設定ました」と確定報知する。
【００３２】
また、使用者が中火キー９ｅをタッチして、制御部１１によって第１報知した後、入力操作が所定時間（例えば２秒）継続する前に、中火キー９eから指を離した場合は、中火キー９ｅの操作は確定せず火力の設定がされない。このとき、操作が確定していないことをブザー音または音声で報知しても良い。
【００３３】
図４はキーの入力処理を説明するフローチャートである。中火キー９ｅを例に、本願発明の内容を説明をする。
＜Ｓ４０１＞使用者がタッチキー１５に触れたか否かを判定する。本実施例では、中火キー９ｅに触れたか（入力があるか）を判定する。Ｎｏならば何も処理をせず終了する。
＜Ｓ４０２＞ステップＳ４０１でＹｅｓの場合、タッチキーの名称である「中火」を音報知手段２０より報知（第１報知）する。
＜Ｓ４０３＞Ｓ４０１で触れられたタッチキー１５である中火キー９ｅが所定時間継続して触れられているか（入力されているか）を判定する。
＜Ｓ４０４＞ステップＳ４０３でＮｏの場合、中火キー９ｅの入力があるかを判定する。Ｎｏならば処理を終了する。ＹＥＳならば、Ｓ４０３に戻り、所定時間が継続したかを判定する。
＜Ｓ４０５＞ステップＳ４０３でＹｅｓの場合、ステップＳ４０５で中火の火力設定を行う。
＜Ｓ４０６＞火力設定された内容を音報知手段２０より「火力を中火に設定しました」と報知（確定報知）する。そして、中火キー９ｅの入力処理を終了する。
【００３４】
本実施例では使用者が入力するキーとしてタッチキー１５を用いて説明した。しかし、タッチキー１５に代わりタクトスイッチなど、指で押し続けることで接点が閉成し、指を離すと接点が開成するメカスイッチをキーとして使用してもよい。
【００３５】
なお、タッチキー１５のうち加熱コイル６ａへの通電／停止させるための切／スタートキー９ｂは、異常過熱などの緊急時に押されることになる。よって、他のタッチキー１５と異なり、使用者が切／スタートキー９ｂに触れる（入力する）と、第１報知をせずに設定が確定されるのが望ましい。よって、使用者が切／スタートキー９ｂに触れる（入力する）と設定を確定し、確定した内容を音報知手段２０で報知しても良い。これによって、安全な加熱調理器を提供できる。
【００３６】
また、図３においては、切／スタートキー９ｂの左右には別のタッチキーが配置されている。よって、タッチキーに触れながら希望するタッチキーを探している際に、切／スタートキー９ｂに触れてしまい、加熱コイル６ａへの通電を停止させてしまう恐れがある。よって、切／スタートキー９ｂといった、一度触れることで設定が確定されるのが望ましいタッチキーは、操作部１３ａの端近傍に配置することが望ましい。これによって、または、一度触れることで設定が確定されるタッチキー（第２のタッチキー）の上下左右の近傍に、触れることで第１報知するタッチキー（第１のタッチキー）を配置しないことが望ましい。第２のタッチキーは第１のタッチキーに挟まれない場所に配置されていることが望ましい。これにより、第１のタッチキーに触れながら希望するタッチキーを探している際に、第２のタッチキーに触れてしまうことで加熱コイルの駆動が停止することなく、使用者は安心してタッチキーに触れながら希望するタッチキーを探すことができる。
【００３７】
本実施例では、トッププレート３上の操作部１３に設けられいる例を用いてタッチキー１５を説明した。しかし、タッチキー１５の場所はこれに限られず、例えば本体１のカンガルーポケットに設けられていても良い。
【００３８】
以上説明したように、本実施例によれば、キーを入力操作した場合にキーの機能名称を音声で報知し、入力された状態が所定時間継続した場合に、キー操作を確定することができる。これにより、使用者がタッチキーを押し間違えてキー操作を確定できない可能性を低減することができる。また、視力が悪い使用者でも加熱調理器を安全かつ快適に使用できる。
【符号の説明】
【００３９】
１    本体
３    トッププレート
６    加熱部
１１  制御部
１３  操作部
１４  表示部
１５  タッチキー
１８  電源切／入スイッチ
２０  音報知手段
【図１】
2020202013.tif 000003
【図２】
2020202013.tif 000004
【図３】
2020202013.tif 000005
【図４】
2020202013.tif 000006